(57)【要約】【課題】水平部材の所定位置を選んで、商品の展示や商品説明、価額表示ＰＯＰ等の表示に用いるパイプ部品を簡単、迅速に着脱可能にし、以って、商品の種類やデザイン等に応じた展示方法や、商品説明や価額表示ＰＯＰの表示方法を変更可能にする。【解決手段】略Ｕ字状の支持部材１に、水平部材Ｐを受容する支持切欠３と、平板部１ｂ、１ｃ間に架設された水平軸６を中心に回動可能な支承部材７と、各平板部１ｂ、１ｃ間に一体に連設されたネジ取付板４と、ネジ取付板４に螺合され、先端に支承部材７をその下面を支承しながら回動付勢する調整ネジ部材２と、上方から挿入された支柱部材１０を支持する傾斜片４ａとを備え、調整ネジ部材２のねじ込み操作によって、支承部材７と支持切欠３のいずれかとの間に前記水平部材Ｐを挟圧保持する構成とした。【選択図】図１
2011033107.tif 000002
【特許請求の範囲】
【請求項１】
円弧板部およびこの円弧板部の両端に続く平板部を一体に有する略Ｕ字状の支持部材と、
前記平板部の前記円弧板部側とは反対側の端部から中央部にかけて形成され、水平部材を受容する支持切欠と、
前記平板部間に架設された水平軸を中心に回動可能で、前記支持切欠内に受容された前記水平部材を下方から支承する支承部材と、
該支承部材の下方において各平板部間に一体に連設されたネジ取付板と、
該ネジ取付板に対し下方から上方に貫通するように螺合され、先端に前記支承部材の下面を支承しながら該支承部材を前記水平軸を中心に回動付勢する調整ネジ部材と、
前記ネジ取付板に連設され、前記円弧板部および該円弧板部付近の前記各平板部間に上方から挿入された展示用部品である支柱部材を支持する傾斜片とを備え、
前記調整ネジ部材のねじ込み操作によって、前記支承部材と前記支持切欠のいずれかとの間に挟圧保持可能にしたことを特徴とするパイプ部品の支持装置。
【請求項２】
前記支持切欠は、前記水平部材外周の少なくとも２箇所に、面接触または点接触可能な水平面または垂直面、或いは円弧面を持つことを特徴とする請求項１に記載のパイプ部品の支持装置。
【発明の詳細な説明】
【技術分野】
【０００１】
本発明は、商品の展示や商品説明、価額表示ＰＯＰの表示に利用するパイプ部品の支持装置に関するものである。
【背景技術】
【０００２】
商品の展示装置として、基台に設立された支柱上に商品の展示台を取り付けたものが、従来から種々提案されている。この商品の展示装置では、前記支柱が大径のパイプ材内に小径のパイプ材を昇降自在に収納したものからなり、大径のパイプ材の外からねじ込んだ螺子部材の尖端を、小径パイプ材の外周に突き当てることによって、小径のパイプ材を任意の昇降位置にロックできるようにしている。従って、大径のパイプ材に対する小径のパイプ材の高さ位置、つまり小径のパイプ材に支持された展示台の高さ位置が調節可能となっている。
【先行技術文献】
【特許文献】
【０００３】
【特許文献１】特表２００２−５１０７８４号公報
【発明の概要】
【発明が解決しようとする課題】
【０００４】
しかしながら、かかる従来の商品展示装置にあっては、基台と、支柱と、展示台とが構造上一体に構成され、従って、商品展示装置としてのデザインの変更は不可能であるため、その展示台にて展示できる商品の種類や形態も一定となってしまうという問題があった。つまり、商品の種類や商品のデザイン等に応じて展示方法を変えることができないという不都合があった。
【０００５】
本発明は、上述した事情に鑑みてなされたものであり、水平部材の任意の位置に、商品の展示や商品説明、価額表示ＰＯＰ等の表示に用いるパイプ部品を簡単、迅速に装着可能にすることで、商品の種類やデザイン等に応じた展示方法や、商品説明や価額表示ＰＯＰの表示方法を自由に選択することができるパイプ部品の支持装置を提供することを目的とする。
【課題を解決するための手段】
【０００６】
前述した目的を達成するために、本発明に係るパイプ部品の支持装置は、円弧板部およびこの円弧板部の両端に続く平板部を一体に有する略Ｕ字状の支持部材と、前記平板部の前記円弧板部側とは反対側の端部から中央部にかけて形成され、水平部材を受容する支持切欠と、前記平板部間に架設された水平軸を中心に回動可能で、前記支持切欠内に受容された前記水平部材を下方から支承する支承部材と、該支承部材の下方において各平板部間に一体に連設されたネジ取付板と、該ネジ取付板に対し下方から上方に貫通するように螺合され、先端に前記支承部材の下面を支承しながら該支承部材を前記水平軸を中心に回動付勢する調整ネジ部材と、前記ネジ取付板に連設され、前記円弧板部および該円弧板部付近の前記各平板部間に上方から挿入された展示用部品である支柱部材を支持する傾斜片とを備え、前記調整ネジ部材のねじ込み操作によって、前記支承部材と前記支持切欠のいずれかとの間に挟圧保持可能にしたことを特徴とする。
【０００７】
この構成により、前記Ｕ字状の支持部材は、これの水平部に形成された支持切欠が水平部材を受容することにより、この水平部材に支持される。従って、前記支持部材はその水平部材に沿ってこの水平部材の軸方向に摺動可能に装着される。その支持部材が摺動された水平部材上の所定位置では、前記調整ネジ部材をネジ取付板のネジ孔内に上方に進むようにねじ込んでいくと、その調整ネジ部材の先端によって支承されている支承部材が水平軸を中心に回動付勢される。
【０００８】
この支承部材の回動付勢によって、前記支持切欠内に受容された前記水平部材がその支承部材によって支承され、上方に持ち上げられる。これにより、水平部材はこの支承部材と前記支持切欠のいずれかの部位との間に挟圧保持される。これにより、前記Ｕ字状の支持部材は水平部材の所定位置にガタつくことなく、また自由に摺動することなく堅固に固定される。
【０００９】
そこで、円弧板部と水平板部との間であって、上下方向に貫通する前記支持部材の空間内に上方から補助パイプを挿入する。この挿入された補助パイプは前記ネジ取付板に一体のパイプ支持のための傾斜片によって下降が規制される。従って、この傾斜片に商品の展示のための、或いは商品説明や価額表示ＰＯＰの表示のために用意された種々の支柱部材をその補助パイプ内に挿入（装着）することができ、その支柱部材を用いて展示や表示の形態を任意に設定し、展示や表示のデザインを多様化することができる。
【発明の効果】
【００１０】
本発明によれば、商品の種類やデザイン等に応じた展示方法、あるいは商品説明や価額表示ＰＯＰの表示方法を、簡単、迅速に選ぶことができる。
【図面の簡単な説明】
【００１１】
【図１】本発明の実施形態によるパイプ部品の支持装置を示す斜視図である。
【図２】図１に示したパイプ部品の支持装置の要部を示す断面図である。
【図３】図１に示したパイプ部品の支持装置の要部を示す平面図である。
【図４】図２に示したパイプ部品の支持装置のＡ‐Ａ線断面図である。
【図５】図１におけるパイプ支持装置の使用状態を示す断面図である。
【発明を実施するための形態】
【００１２】
以下、本発明の実施形態を図面を参照しながら説明する。
図１は、パイプ部品の支持装置の要部を示す断面図、図２は、このパイプ部品の支持装置の要部の断面図、図３は、そのパイプ部品の支持装置の要部の平面図、図４は、図２におけるＡ−Ａ線断面図、図５は、パイプ支持装置の使用状態の断面図である。
【００１３】
本実施形態によるパイプ部品の支持装置は、支持部材１と、調整ネジ部材２と、を備える。これらのうち支持部材１は、円弧板部１ａとこの円弧板部１ａの両端に続く平板部１ｂ、１ｃとが一体に設けられてなり、図３および図４に示すように、平板部１ｂ、１ｃは互いに平行に向き合った形態をなす。従って、支持部材１は全体として、上方から見てＵ字状をなす。この支持部材１は金属板のプレスや合成樹脂の成形により得られる。
【００１４】
また、前記平板部１ｂ、１ｃの対応部位には、円弧板部１ａ側とは反対の端部から中央部にかけて支持切欠３が設けられている。各平板部１ｂ、１ｃに形成されたこれらの支持切欠３は、同一形状、サイズにて相互に水平方向に対向する形態であるため、以下、これらの支持切欠３の各部については同一符号を付す。
【００１５】
各支持切欠３は、図２に示すように、前記端部に位置する開口部３ａと、この開口部３ａに連続し、上方へ向って傾斜する第１の傾斜部（または緩やかな円弧状部）３ｂと、この傾斜部３ｂの上端から上方に延びる短目の第１の垂直部３ｃと、この第１の垂直部３ｃの上端から水平に延びる第１の水平部３ｄと、この第１の水平部３ｄ端で下方に向って連続する第２の垂直部３ｅと、この第２の垂直部３ｅの下端に、前記円弧板部１ａ方向に向って連続する第１の水平切欠溝３ｆと、この第１の水平切欠溝３ｆに連続して垂直下方に延びる、第２の垂直部３ｅに比べて十分に長目の第３の垂直部３ｇと、この第３の垂直部３ｇの下端に連続し、第１の水平切欠溝３ｆと同形状、同サイズの第２の水平切欠溝３ｈと、この第２の水平切欠溝３ｈに連続し、垂直下方に延びる第４の垂直部３ｉと、この第４の垂直部３ｉの下端に連続し、平板部１ｂの端部方向に向って傾斜する第２の傾斜部３ｊと、この第２の傾斜部３ｊに連続し、前記開口部３ａ側に向って水平に連続する第２の水平部３ｋと、を持つ。
【００１６】
ここで、第１の傾斜部３ｂ、第３の垂直部３ｇは円筒状断面形状や円柱状断面形状を持つ水平部材Ｐ１、Ｐ２を、図２に示すように支持する場合に利用される。この場合に、傾斜部３ｂおよび第３の垂直部３ｇが水平部材Ｐ1、Ｐ２から受ける応力の作用点はＲ、ＳおよびＴ、Ｕとなる。また、第１の垂直部３ｃ、第１の水平部３ｄ、第２の垂直部３ｅおよび第４の垂直部３ｉは主に角筒状断面形状や矩形断面形状を持つ水平部材Ｐ３等を、図２に示すように支持する場合に利用される。この場合に、第１の垂直部３ｃ、第１の水平部３ｄ、第２の垂直部３ｅおよび第４の垂直部３ｉが水平部材Ｐ３から受ける作用点は、これら各部の全接触面となる。
【００１７】
また、対向する平板部１ｂ、１ｃの下端部間にはネジ取付板４が水平かつ一体に連接され、このネジ取付板４の一部にネジ孔５が形成されている。このネジ孔５には、頭部にドライバの先やコインの縁部を係止して回動できる係止溝２ａを持つ前記調整ネジ２が、下方からねじ込まれている。このネジ取付板４には、前記円弧板部１ａ方向端に所定長に亘って略Ｖ字状に折り曲げられた傾斜片４ａを持つ。
【００１８】
さらに、平板部１ｂ、１ｃ間であって、前記ネジ取付板４の上方位置には水平軸６がポンチングカシメによって架設されている。そして、この水平軸６には、全体として中央部が下方に「く」の字状に凹むように湾曲する支承部材７の基部が回動可能に取り付けられている。この支承部材７は、図３に示すように、平面視で矩形をなす。
【００１９】
この支承部材７は、下方に湾曲するような凹部７ａ付近の下面に、ネジ取付板４に螺合された調整ネジ２の先端が突き当てられている。この支持部材８上には、ゴムや合成樹脂などからなるすべり止めを兼ねる連山状または平板状のクッション部材８が貼着されている。また、この支承部材７は、前記支持切欠３内に受容された水平部材としてのパイプ部材Ｐを水平状態を保ちながら支承可能なサイズ、形態をなす。
【００２０】
円弧板部１ａの内側は前述のように上下方向に貫通した空間となっており、この貫通部分の下方に前記ネジ取付板４の傾斜片４ａの傾斜面４ｂが臨んでいる。この貫通部分には、傾斜片４ａの傾斜面４ｂに接触してこれに密接する形状、サイズの外側傾斜面９ａを下端部に持つ円柱状の補助パイプ９が、着脱可能に収納されている。
【００２１】
この補助パイプ９は全体として支持部材１の高さと同等または僅かに短目であり、外周径が円弧板部１ａの内周径に対して僅かに小さい。前記外側傾斜面９ａと傾斜片４ａの傾斜面４ｂとの接合によって、円筒状の補助パイプ９は支持部材１内において回動不可能となっている。この補助パイプ９内には、例えば商品の展示用部品としての支柱部材１０の下端部が後述のように挿し込まれる。この支柱部材１０の下端部には補助パイプ９下端内周の内側傾斜面９ｂに適合する傾斜面１０ａが形成されている。従って、この支柱部材１０を補助パイプ９内で回動不可能かつ着脱可能に支持することができる。
【００２２】
次に、かかる構成になるパイプ部品の支持装置の使用方法を説明する。
まず、支持部材１を用意し、ネジ取付板４のネジ孔５にねじ込まれている調整ネジ２を緩めて、下方に移動させる。これにより調整ネジ２の先端が下降し、これに伴って、支承部材７が自重によって水平軸６を中心に反時計方向に回動する。従って、支承部材７の先端部は下方に大きく下降し、支持切欠３の開口部３ａが大きく開放される。
【００２３】
そこで、水平部材Ｐに対して支持部材１の支持切欠３を開口部３ａ側から挿し入れる。そして、この挿し入れの状態で、支持部材１を、図２および図４に示すように、水平状態に保ったまま、調整ネジ２をネジ取付板４のネジ孔５に対しねじ込む。このねじ込み操作によって、調整ネジ２の先端は支承部材７の凹部８ａ下面を支承しながら上方に押し上げる。
【００２４】
この調整ネジ２の先端の押し上げによって、支承部材７はクッション部材８を介して水平部材Ｐの一部を抱え込むようにして、この水平部材Ｐを支持切欠３の第１の傾斜部３ｂおよび第３の垂直部３ｇの２箇所（応力作用点）に突き当てるようにして挟圧保持する。そして、調整ネジ２の適度の締め込みによって、支持切欠３が水平部材Ｐの外周を掴むように保持する。従って、支持部材１は水平部材Ｐの所定位置に安定保持される。
【００２５】
そこで、このように水平部材Ｐに取り付けられた支持部材１の円弧板部１ａ内に、上方から前記補助パイプ９を、図４に示すように、挿入する。この補助パイプ９は前述のように下端部に外側傾斜面９ａを有し、この外側傾斜面９ａがネジ取付板４の傾斜片４ａの傾斜面４ｂに当接される。このため、補助パイプ９は前記円弧板部１ａ内で水平方向に回動することなく安定保持される。支柱部材１０の外径が補助パイプ９と同径で下端部に傾斜面９ａを有したものであれば、補助パイプ９は不要である。
【００２６】
次に、このように円弧状部１ａ内に保持された補助パイプ９内に、上方から、例えば図１に示すような、商品の展示や商品説明、或いは価額表示に用いる支柱部材１０の下端部を挿入する。この支柱部材１０としては、補助パイプ９の内周より僅か小さい外径寸法を持つものが用いられる。なお、この支柱部材１０の基端部（下端部）には、補助パイプ９の内側傾斜面９ｂに適合（接合）する傾斜面１０ａが設けられている。
【００２７】
従って、この適合状態では、支柱部材１０は補助パイプ９内において回動することなく安定保持される。なお、図１では、支柱部材１０が全体として垂直部１０ｂと水平部１０ｃが連続するＬ字状棒からなるものを例示した。そしてこの水平部１０ｃ上には、例えば商品を掛けたハンガー等の移動を規制する複数本の突ピン１１が突接されている。なお、この支柱部材１０としては、前述のＬ字状棒形のものの外、前記傾斜面１０ａを有する限りにおいて、商品の展示以外に商品説明や価額表示ＰＯＰ等の表示の目的に利用するあらゆる形状、サイズのものが採用可能である。
【００２８】
また、本実施形態の補助パイプ９は合成樹脂によってあらゆるサイズおよび肉厚のパイプを安価に成形できる。このため、肉厚が異なる補助パイプ９を複数種類用意することで、その補助パイプ９にあらゆるサイズ（外径）の支柱部材１０を付け替え自在に装着することができる。これにより商品の展示や商品説明等の表示目的にあった支柱部材１０を任意に選んで使用可能になる。
【００２９】
このように、本実施形態のパイプ部品の支持装置は、円弧板部１ａおよびこの円弧板部１ａの両端に続く平板部１ｂ、１ｃを一体に有する略Ｕ字状の支持部材１と、平板部１ｂ、１ｃの円弧板部１ａ側とは反対側の端部から中央部にかけて形成され、水平部材Ｐを受容する支持切欠３と、平板部１ｂ、１ｃ間に架設された水平軸６を中心に回動可能で、支持切欠３内に受容された水平部材Ｐを下方から支承する支承部材７と、支承部材７の下方において各平板部１ｂ、１ｃ間に一体に連設されたネジ取付板４と、ネジ取付板４に対し下方から上方に貫通するように螺合され、先端に支承部材７の下面を支承しながら該支承部材７を水平軸６を中心に回動付勢する調整ネジ部材２と、ネジ取付板４に連設され、円弧板部１ａおよび該円弧板部１ａ付近の前記各平板部１ｂ、１ｃ間に上方から挿入された展示用部品である支柱部材１０を支持する傾斜片４ａとを備え、調整ネジ部材２のねじ込み操作によって、支承部材７と支持切欠３のいずれかとの間に前記水平部材Ｐを挟圧保持可能な構成とした。
【００３０】
これにより、水平部材Ｐの所定位置を選んで、商品の展示や商品説明、価額表示ＰＯＰ等の表示に用いる支柱部材を簡単、迅速に着脱でき、商品の種類やデザイン等に応じた展示方法や、商品説明や価額表示ＰＯＰの表示方法を任意かつ適宜に変えることができる。
【産業上の利用可能性】
【００３１】
本発明は商品の種類やデザイン等に応じた展示方法や、商品説明や価額表示ＰＯＰの表示方法を自由に選択することができるという効果を有し、商品の展示や商品説明、価額表示ＰＯＰの表示に利用するパイプ部品の支持装置等に有用である。
【符号の説明】
【００３２】
１  支持部材
１ａ  円弧板部
１ｂ、１ｃ  平板部  
２  調整ネジ
３  支持切欠
３ａ  開口部
３ｂ  第１の傾斜部
３ｃ  第１の垂直部
３ｄ  第１の水平部
３ｅ  第２の垂直部
３ｆ、３ｈ  水平切欠溝
３ｇ  第３の垂直部
３ｉ  第４の垂直部
３ｊ  第２の傾斜部
３ｋ  第２の水平部
４  ネジ取付板
４ａ  傾斜片
６  水平軸
７  支承部材
８  クッション
９  補助パイプ
１０  支柱部材
Ｐ  パイプ部材（水平部材）
【図１】
2011033107.tif 000003
【図２】
2011033107.tif 000004
【図３】
2011033107.tif 000005
【図４】
2011033107.tif 000006
【図５】
2011033107.tif 000007
【手続補正書】
【提出日】平成22年2月18日(2010.2.18)
【手続補正１】
【補正対象書類名】明細書
【補正対象項目名】００１９
【補正方法】変更
【補正の内容】
【００１９】
この支承部材７は、下方に湾曲するような凹部７ａ付近の下面に、ネジ取付板４に螺合された調整ネジ２の先端が突き当てられている。この支持部材７上には、ゴムや合成樹脂などからなるすべり止めを兼ねる連山状または平板状のクッション部材８が貼着されている。また、この支承部材７は、前記支持切欠３内に受容された水平部材としてのパイプ部材Ｐを水平状態を保ちながら支承可能なサイズ、形態をなす。